(57)【特許請求の範囲】
【請求項１】
基板上に配置された樹脂散乱層と、
前記樹脂散乱層上に反射層が配置された反射領域と、蛍光材発光層が配置された透過領域と、
前記反射領域上に配置された反射領域用のカラーフィルタ層と、前記透過領域上に配置された透過領域用のカラーフィルタ層と、
を有することを特徴とするカラーフィルタ基板。
【請求項２】
前記カラーフィルタ層は、複数の色からなり、前記蛍光材発光層は、前記複数の色それぞれに対応する蛍光材料からなることを特徴とする請求項１に記載のカラーフィルタ基板。
【請求項３】
請求項１又は２に記載のカラーフィルタを備える電気光学パネル。
【請求項４】
請求項３に記載の電気光学パネルと、
前記蛍光材発光層を構成する蛍光材料を発光させる波長を有する照明光を前記蛍光材発光層へ照射するバックライトと、を備えることを特徴とする電気光学装置。
【請求項５】
前記バックライトは、ブラックライトを発生する光源であることを特徴とする請求項４に記載の電気光学装置。
【請求項６】
基板上に樹脂散乱層を形成する工程と、
前記樹脂散乱層上に反射層を形成して反射領域を形成する工程と、
前記樹脂散乱層上に発光層を形成して透過領域を形成する工程と、
前記反射層上に反射用カラーフィルタ部を形成する工程と、
前記蛍光材発光層上に透過用カラーフィルタ部を形成する工程と、
を有することを特徴とするカラーフィルタ基板の製造方法。
【請求項７】
前記カラーフィルタ層を形成する工程は、複数の色のカラーフィルタ層を形成する工程からなり、前記蛍光材発光層を形成する工程は、前記複数の色それぞれに対応する蛍光材料によって前記蛍光材発光層を形成することを特徴とする請求項６に記載のカラーフィルタ基板の製造方法。
【発明の詳細な説明】
【０００１】
【発明の属する技術分野】
本発明は、カラーフィルタの構造に関し、特に半透過反射型の電気光学装置に用いるのに好適なカラーフィルタの構造に関する。
【０００２】
【背景技術】
従来から、外光を利用した反射型表示と、バックライトなどの照明光を利用した透過型表示とのいずれをも視認可能とした半透過反射型の液晶表示パネルが知られている。この半透過反射型の液晶表示パネルは、そのパネル内に外光を反射するための反射層を有し、バックライトからの照明光がこの反射層を透過することができるように構成したものである。この種の反射層としては、液晶表示パネルの画素毎に所定割合の開口部（スリット）を備えたパターンを持つものがある。
【０００３】
そのような液晶表示パネルは、携帯電話、携帯型情報端末などの電子機器に設置される場合、その背後にバックライトが配置された状態で取り付けられる。この液晶表示パネルでは、昼間や屋内などの明るい場所では外光が液晶を透過した後に反射層により反射され、再び液晶を透過して放出されることにより反射型表示がなされる。一方、夜間や野外などの暗い場所では、バックライトを点灯させることにより、バックライトから出射される照明光のうち、反射層に設けられた開口部を通過した光が液晶表示パネルを通過して放出され、透過型表示がなされる。
【０００４】
【発明が解決しようとする課題】
上記のような半透過反射型の液晶表示パネルでは、反射層の下に樹脂散乱層を設けたものが知られている。具体的には、ガラスやプラスチックなどの基板表面上に例えばアクリル樹脂などの樹脂層を形成し、その表面に多数の微細な凹凸構造を形成する（以下、これを「樹脂散乱層」と呼ぶ。）。そして、その上にアルミニウム合金や銀合金などの反射層を形成する。これにより、反射膜の表面は、樹脂散乱層の凹凸構造を反映した凹凸形状となる。外光を利用して反射型表示を行う場合は、外光が上記の凹凸形状により適度に散乱した状態で反射されるため、反射光を均一化し、広い視野角を確保することが可能となる。
【０００５】
しかし、上記のような液晶表示パネルにおいても、透過型表示時は、照度が低い場所などでは色再現性が低下してしまうため、未だ十分に明るく鮮明な表示を行うことは難しいのが実状である。透過型表示の際に十分な明るさを確保するためには、透過型表示時に点灯するバックライトからの照射光の光量を増加させればよいのであるが、そうすると消費電力が増加してしまうという問題がある。
【０００６】
本発明は、以上の点に鑑みてなされたものであり、半透過反射型の電気光学パネルにおいて、消費電力の増加などを伴うことなく、透過型表示時に鮮明な画像表示を可能とすることを課題とする。
【０００７】
【課題を解決するための手段】
本発明の１つの観点によれば、カラーフィルタ基板において、基板上の反射領域に配置された反射層と、前記基板上の透過領域に配置された蛍光材発光層と、前記反射領域及び前記透過領域に配置されたカラーフィルタ層と、を備える。
【０００８】
上記のカラーフィルタ基板は、例えば半透過反射型液晶表示装置などの液晶表示パネルに使用され、具体的には液晶パネルなどを構成するガラス基板などの透光性基板上に構成される。半透過反射型液晶表示装置の場合、透過型表示に使用される透過領域と反射型表示に使用される反射領域とが存在する。ここで、反射領域においては反射層が設けられており、一方、透過領域においては、蛍光材発光層が設けられる。蛍光材発光層は、例えばＲＧＢ各色毎に異なる蛍光材料を積層した層とすることができる。そして、反射領域と透過領域にカラーフィルタ層が形成される。
【０００９】
蛍光材発光層に対して、バックライトによりブラックライトなどの特定波長の照明光を照射することにより、蛍光材料が発光するので、透過型表示の際に蛍光材料の発光を利用して鮮明な表示を得ることができる。
【００１０】
上記のカラーフィルタ基板の一態様は、前記基板上に配置された樹脂散乱層を備え、前記反射層及び前記蛍光材発光層は前記樹脂散乱層の上に配置することができる。
【００１１】
この態様によれば、樹脂散乱層は表面に微小な凹凸などを有するので、その上に反射層を設けると樹脂散乱層の凹凸が反射層の表面に反映される。よって、外光が反射層で反射されるときに光の散乱が生じることにより、反射表示時に外光を効率的に使用して明るい表示を行うことができる。
【００１２】
上記のカラーフィルタ基板の一態様では、前記透過領域は、前記反射層が形成されない領域とすることができる。これにより透過型表示に使用する領域のみに効果的に蛍光材発光層が形成されることになる。
【００１３】
上記のカラーフィルタ基板のさらに他の一態様では、前記カラーフィルタ層は、前記反射層上に配置された反射用カラーフィルタ部と、前記蛍光材発光層上に配置された透過用カラーフィルタ部とを有することができる。
【００１４】
この態様では、反射用カラーフィルタと透過用カラーフィルタが別個に設けられるので、それぞれの色特性などを独立に設計して、反射型表示時と透過型表示時のどちらでも鮮明な画像表示を実現することができる。
また、前記カラーフィルタ層は、複数の色からなり、前記蛍光材発光層は、前記複数の色それぞれに対応する蛍光材料からなることを特徴とする。
【００１５】
本発明の他の観点によれば、カラーフィルタ基板において、基板上の反射領域に配置された反射層と、前記反射層上に配置された反射用カラーフィルタ層と、前記基板上の透過領域に配置され、蛍光材料を含む透過用カラーフィルタ層と、を備える。
【００１６】
上記のカラーフィルタ基板は、例えば半透過反射型液晶表示装置などの液晶表示パネルに使用され、具体的には液晶パネルなどを構成するガラス基板などの透光性基板上に構成される。半透過反射型液晶表示装置の場合、透過型表示に使用される透過領域と反射型表示に使用される反射領域とが存在する。ここで、反射領域においては反射層が設けられており、その上に反射用カラーフィルタ層が設けられる。一方、透過領域においては、蛍光材料を含む透過用カラーフィルタ層が設けられる。この透過用カラーフィルタ層に対して、バックライトなどによりブラックライトなどの特定波長の照明光を照射することにより、蛍光材料が発光するので、透過型表示の際に蛍光材料の発光を利用して鮮明な表示を得ることができる。
【００１７】
また、上記のカラーフィルタを使用して電気光学パネルを構成することができる。さらにその電気光学パネルと、前記蛍光材発光層を構成する蛍光材料を発光させる波長を有する照明光を前記蛍光材発光層へ照射するバックライトと、を備える電気光学装置を構成することができる。ここで、前記バックライトは、ブラックライトを発生する光源とすることができる。
【００１８】
本発明のさらに他の観点では、カラーフィルタ基板の製造方法において、基板上の反射領域に反射層を形成する工程と、前記基板上の透過領域に蛍光材発光層を形成する工程と、前記反射領域及び前記透過領域にカラーフィルタ層を形成する工程と、を有する。
【００１９】
この方法により、基板上の透過領域に蛍光材発光層を有する、前述のカラーフィルタ基板を製造することができる。
【００２０】
また、上記のカラーフィルタ基板の製造方法の一態様では、前記基板上に樹脂散乱層を形成する工程をさらに備えることができる。
【００２１】
さらに、上記のカラーフィルタ基板の製造方法の他の一態様では、前記カラーフィルタ層を形成する工程は、前記反射層上に反射用カラーフィルタ部を形成する工程と、前記蛍光材発光層上に透過用カラーフィルタ部を形成する工程とを有し、反射表示時における表示色と透過表示時における表示色とを個別に調整することができる。この方法により、透過用カラーフィルタ部と反射用カラーフィルタ部を別個に設計して、透過型表示と反射型表示のいずれにおいても明るく鮮明な画像表示を実現することができる。
また、前記カラーフィルタ層を形成する工程は、複数の色のカラーフィルタ層を形成する工程からなり、前記蛍光材発光層を形成する工程は、前記複数の色それぞれに対応する蛍光材料によって前記蛍光材発光層を形成することを特徴とする。
【００２２】
また、本発明のさらに他の観点では、カラーフィルタ基板の製造方法において、基板上の反射領域に反射層を形成する工程と、前記反射層上に反射用カラーフィルタ層を形成する工程と、前記基板上の透過領域に、蛍光材料を含む透過用カラーフィルタ層を形成する工程と、を有する。
【００２３】
この方法により、基板上の透過領域に蛍光材料を含む透過用カラーフィルタが形成された、前述のカラーフィルタ基板を製造することができる。
【００２４】
【発明の実施の形態】
本発明においては、透過表示時に鮮明な画像表示を可能とするため、透過用カラーフィルタ部分に蛍光材料を含む蛍光材料発光層を形成する。そして、透過表示時には、バックライト光源からブラックライトなどの蛍光材を良好に発光させる性質の照明光を照射することにより蛍光材料を発光させ、明るく鮮明な表示を実現するものである。
【００２５】
［カラーフィルタ基板］
まず、本発明を適用したカラーフィルタ基板について説明する。図１は、本発明の実施形態によるカラーフィルタ基板の断面図である。前述のように、本発明のカラーフィルタ基板は、透過用カラーフィルタ部分にカラー蛍光材料を含む蛍光材発光層を設けたことに特徴を有する。
【００２６】
なお、図１に示すカラーフィルタ基板１０は、一対の透光性基板の間にシール材を介して液晶を挟持する構成を有する液晶表示パネル（後述する）に適用されるものであるが、図１では一対の透光性基板のうちのカラーフィルタ側基板のみを示している。
【００２７】
図１に示すように、本実施形態のカラーフィルタ基板１０では、ガラスやプラスチックからなる透光性の基板１０１上に、樹脂散乱層１１３が形成されている。樹脂散乱層１１３は、前述のようにガラスやプラスチックなどの基板表面上に例えばアクリル樹脂などにより透光性の樹脂層を形成し、その表面に多数の微細な凹凸構造を形成することにより製作することができる。
【００２８】
樹脂散乱層１１３の上には、部分的にアルミニウム合金又は銀合金などの反射層１１１が形成される。反射層１１１が形成される領域は、反射型表示に利用される領域（以下、「反射領域」とも呼ぶ。）である。これにより、反射層１１１の表面は、樹脂散乱１１３層の凹凸構造を反映した凹凸形状となる。よって、外光を利用して反射型表示を行う場合は、外光が上記の凹凸形状により適度に散乱した状態で反射されるため、反射光を均一化し、広い視野角を確保することが可能となる。
【００２９】
また、本発明のカラーフィルタ基板１０においては、透過型表示に利用される領域（以下、「透過領域」とも呼ぶ。）、即ち反射層１１１が形成されていない領域に、蛍光材発光層１３０が形成される。
【００３０】
そして、反射層１１１及び蛍光材発光層１３０の上にカラーフィルタ１２０が形成される。ここで、カラーフィルタ１２０は、反射用カラーフィルタ部１２０Ｒと、透過用カラーフィルタ部１２０Ｔとを有する。即ち、反射領域においては反射層１１１の上に反射用カラーフィルタ部１２０Ｒが形成され、透過領域においては蛍光材発光層１３０の上に透過用カラーフィルタ部１２０Ｔが形成される。なお、反射用カラーフィルタ１２０Ｒと透過用カラーフィルタ１２０Ｔを別々に形成する理由は、透過表示時と反射表示時における表示色を個別に調整可能とするためである。そして、反射用カラーフィルタ１２０Ｒ及び透過型カラーフィルタ１２０Ｔの上には、保護層１２７が形成される。
【００３１】
図２にカラーフィルタ１２０の一部の平面図を示す。図２において、透過用カラーフィルタ部１２０Ｔと反射用カラーフィルタ部１２０Ｒとは横方向に交互に形成されている。透過用カラーフィルタ部１２０Ｔは、Ｒ（赤）、Ｇ（緑）及びＢ（青）の各色にそれぞれ対応するカラーフィルタ部１２０ＴＲ、１２０ＴＧ及び１２０ＴＢが図２における縦方向に繰り返し形成されてなる。同様に、反射用カラーフィルタ部１２０Ｒも、Ｒ、Ｇ及びＢにそれぞれ対応するカラーフィルタ部１２０ＲＲ、１２０ＲＧ及び１２０ＲＢが図２における縦方向に繰り返し形成されてなる。また、各カラーフィルタ部の間には隣接する色間の混色を防止するためにブラックマトリクス１２０Ｂが形成されている。なお、図１の断面図においては、カラーフィルタ１２０は図２におけるＸ−Ｘ’線による断面が示されている。即ち、図１における各カラーフィルタ部は同一色のものである。
【００３２】
透過領域に形成される蛍光材発光層１３０は、図２における透過型カラーフィルタ部１２０Ｔ（即ち、１２０ＴＲ、１２０ＴＧ及び１２０ＲＢ）に対応する領域に形成されることになる。ここで、蛍光材発光層１３０は、Ｒ、Ｇ及びＢの３色にそれぞれ対応する蛍光材発光部１３０Ｒ、１３０Ｇ及び１３０Ｂにより構成される。即ち、Ｒ（赤）に対応する蛍光材発光部１３０Ｒは赤色の透過型カラーフィルタ部１２０ＴＲに対応する領域に形成され、Ｇ（緑）に対応する蛍光材発光部１３０Ｇは緑色の透過型カラーフィルタ部１２０ＴＧに対応する領域に形成され、Ｂ（青）に対応する蛍光材発光部１３０Ｂは青色の透過型カラーフィルタ部１２０ＴＢに対応する領域に形成される。
【００３３】
蛍光材発光部１３０を構成する蛍光材料の例を以下に示す。代表的な無機蛍光顔料としては、例えば赤色としてＹ２Ｏ２Ｓ：Ｅｕ、青色はＳｒ５（ＰＯ４）Ｃｌ：Ｅｕ、緑色としてはＺｎＧｅＯ４：Ｍｎなどを含む材料をブレンドして得られるものを使用することができる。また、有機蛍光体（蛍光染料）の代表としては、ブリリアントサルホフラビンＦＦ（黄）、ベーシックイエローＨＧ（黄）、エオシン（赤）、ローダミン６Ｇ（赤）、ローダミンＢ（赤）などを使用することができる。
【００３４】
そして、上記のようなカラーフィルタ１２０上に保護層１２７が形成される。
【００３５】
上記のように構成されたカラーフィルタ基板１０は、反射型表示の際には、外光を反射層１１１で反射させて観察者Ｅ（図３参照）の方向に向けることにより、観察者が表示画像を認識する。また、透過型表示の際には、カラーフィルタ基板１０の下方からバックライトによりブラックライトのような短波長（例えば３５０ｎｍ〜４００ｎｍ）の光を照射し、蛍光材発光層１３０を構成する各色の蛍光材料を発光させることにより照度を上げ、鮮明度の高い表示を可能とする。
【００３６】
このように、本発明のカラーフィルタ基板によれば、透過領域に蛍光材発光層を含むカラーフィルタ部を形成し、透過型表示の際にはカラーフィルタ基板の背面側（図１における下側）からブラックライトなどを照射して蛍光材発光層を発光させるので、照度の低い場所でも鮮明な色彩の画像表示を行うことができる。
【００３７】
［液晶表示パネル］
次に、本発明のカラーフィルタ基板を適用した液晶表示パネルの実施形態について説明する。この実施形態は、図１に示したカラーフィルタ基板を半透過反射型の液晶表示パネルに適用した例であり、その断面図を図３に示す。なお、図３において、図１に示したカラーフィルタ基板１０における構成要素と同一の部分については同一の符号を付している。
【００３８】
図３において、液晶表示パネル１００は、ガラスやプラスチックなどからなる基板１０１と基板１０２とがシール材１０３を介して貼り合わせられ、内部に液晶１０４が封入されてなる。また、基板１０２の外面上には位相差板１０５及び偏光板１０６が順に配置され、基板１０１の外面上には位相差板１０７及び偏光板１０８が順に配置される。なお、偏光板１０８の下方には、透過型表示を行う際に照明光を発するバックライト１０９が配置される。なお、バックライト１０９は、蛍光材発光層１３０を発光させるためのブラックライトを出射するブラックライト光源である。
【００３９】
基板１０１は、図１を参照して説明したカラーフィルタ基板１０を構成する。具体的には、基板１０１の上に例えばアクリル樹脂などにより透明な樹脂散乱層１１３が形成される。また、樹脂散乱層１１３の上には、反射領域において反射層１１１が形成され、透過領域においては蛍光材発光層１３０が形成される。そして、反射領域においては、反射層１１１の上に各色の反射用カラーフィルタ部１２０ＲＲ、１２０ＲＧ及び１２０ＲＢが、例えば図２に示すような配列で形成される。一方、透過領域においては、蛍光材発光層１３０の上に各色の透過用カラーフィルタ部１２０ＴＲ、１２０ＴＧ及び１２０ＴＢが形成される。
各色の反射用カラーフィルタ部１２０ＴＲ、１２０ＴＧ及び１２０ＴＢ、並びに各色の透過用カラーフィルタ部１２０ＲＲ、１２０ＲＧ及び１２０ＲＢの境界には、ブラックマトリクス１２０Ｂ（図２参照）が形成されるが、図３においては図示を省略する。なお、ブラックマトリクス１２０Ｂは、ＲＧＢ３色のカラーフィルタ部分を重ね合わせることにより形成することもできるし、ＲＧＢ３色のカラーフィルタ部分とは別個に樹脂を形成することもできる。
【００４０】
そして、反射用カラーフィルタ部１２０Ｒ及び透過用カラーフィルタ部１２０Ｔを覆うように保護層１２７が形成される。この保護層１２７は、液晶表示パネルの製造工程中にカラーフィルタ１２０を薬剤などによる腐食や汚染から保護するとともに、カラーフィルタ１２０の表面を平坦化するためのものである。
【００４１】
さらに、保護層１２７の表面上には、ＩＴＯ（インジウムスズ酸化物）などの透明導電体からなる透明電極１１４が形成される。この透明電極１１４は本実施形態においては複数並列したストライプ状に形成されている。また、この透明電極１１４は、基板１０２上に同様にストライプ状に形成された透明電極１２１に対して直交する方向に延び、透明電極１１４と透明電極１２１との交差領域内に含まれる液晶表示パネル１００の構成部分（反射層１１１、カラーフィルタ１２０、透明電極１１４、液晶１０４及び透明電極１２１における上記交差領域内の部分）が画素を構成するようになっている。
【００４２】
一方、基板１０２の内面上には透明電極１２１が形成され、対向する基板１０１上の透明電極１１４と交差するように構成されている。なお、基板１０１上の透明電極１１４上、及び、基板１０２上の透明電極１２１上には、配向膜などが必要に応じて形成される。
【００４３】
この液晶表示パネル１００においては、反射型表示がなされる場合には、反射層１１１が形成されている領域に入射した外光は、図３に示す経路Ｒに沿って進行し、反射層１１１により反射されて観察者により視認される。一方、透過型表示がなされる場合には、バックライト１０９から出射したブラックライトなどの照明光が透過領域に入射することにより、透過領域に形成された蛍光材発光層１３０内の蛍光材料を発光させる。これにより発せられた光は経路Ｔに示すように進行し、観察者により視認される。
【００４４】
ブラックライトとは、近紫外線（例えば３００〜４５０ｎｍ付近）波長を持つ光を特殊設計の紫外線フィルタなどにより取り出すことにより得られる光であり、これを蛍光体や蛍光物質を含んだ物体に照射すると蛍光体や蛍光物質が発光する。ブラックライトを発するバックライト１０９としては、例えば蛍光管と、上記の波長の紫外線を取り出す蛍光材料や紫外線フィルタなどを使用したものがある。なお、本発明ではブラックライトを発するバックライト１０９の構造に制限はなく、各種の光源を使用することができる。
【００４５】
本発明では、カラーフィルタの各色部分の配列は図２に示す配列には限られない。即ち、ストライプ配列、デルタ配列、ダイヤゴナル配列などの各種の配列に構成することが可能である。また、上記の実施形態では透過用カラーフィルタと反射用カラーフィルタとを別個の材料により独立に形成しているが、同一の材料により単一のカラーフィルタとして形成することも可能である。また、その場合に、透過領域と反射領域とでカラーフィルタの厚さを変化させたタイプのカラーフィルタにも適用可能である。
【００４６】
［製造方法］
次に、上述の液晶表示パネル１００の製造方法について説明する。まず、図１に示すカラーフィルタ側基板１０の製造方法について図４を参照して説明する。
【００４７】
図４（ａ）に示すように、基板１０１の表面上に樹脂散乱層１１３を形成する。樹脂散乱層１１３の形成方法としては、例えば所定の膜厚のレジスト層をスピンコートにより形成した後プリベークし、次に所定のパターンが形成されたフォトマスクを配置して露光及び現像を行うことによりガラス基板表面に微細な凹凸形状を形成する。さらに、そうしてガラス基板上に形成された凹凸を熱処理することにより、凹凸形状の角を熱で変形させて滑らかな形状の凹凸形状が形成される。なお、樹脂散乱層１１３の形成方法としては、これ以外の方法を採用することももちろん可能である。
【００４８】
次に、アルミニウム、アルミニウム合金、銀合金などの金属を蒸着法やスパッタリング法などによって薄膜状に成膜し、これをフォトリソグラフィー法を用いてパターニングすることによって、図４（ｂ）に示す反射層１１１を形成する。この際、反射層１１１は、反射領域のみに形成される。
【００４９】
次に、樹脂散乱層１１３の上に、先に例示した蛍光材料をスピンコート、塗布又は印刷することにより図４（ｃ）に示す蛍光材発光層１３０を形成する。この際には、ＲＧＢ各色についてそれぞれ対応する蛍光材料を順に形成することになる。
【００５０】
次に、所定の色相を呈する顔料や染料などを分散させてなる着色された感光性樹脂（感光性レジスト）を塗布し、所定パターンにて露光、現像を行ってパターニングを行うことにより、図４（ｄ）に示すように透明領域において蛍光材発光層１３０上に透過用カラーフィルタ１２０Ｔを形成する。さらに、反射層１１１上に同様にして反射用カラーフィルタを１２０Ｒを形成し、その上にアクリル樹脂などにより保護層１２７を形成することにより、図４（ｅ）に示すようにカラーフィルタ基板１０が製作される。
【００５１】
次に、こうして得られたカラーフィルタ側基板を用いて、図３に示す液晶表示パネル１００を製造する方法について図５を参照して説明する。図５は、表示パネル１００の製造工程を示す流れ図である。
【００５２】
まず、上記の方法により、蛍光材発光層１３０を有するカラーフィルタ１２０が形成された基板１０１が製造され（工程Ｓ１）、さらに保護層１２７上に透明導電体をスパッタリング法により被着し、フォトリソグラフィー法によってパターニングすることにより、透明電極１１４を形成する（工程Ｓ２）。その後、透明電極１１４上にポリイミド樹脂などからなる配向膜を形成し、ラビング処理などを施す（工程Ｓ３）。
【００５３】
一方、反対側の基板１０２を製作し（工程Ｓ４）、同様の方法で透明電極１２１を形成し（工程Ｓ５）、さらに透明電極１２１上に配向膜を形成し、ラビング処理などを施す（工程Ｓ６）。
【００５４】
そして、シール材１０３を介して上記の基板１０１と基板１０２とを貼り合わせてパネル構造を構成する（工程Ｓ７）。基板１０１と基板１０２とは、基板間に分散配置された図示しないスペーサなどによってほぼ規定の基板間隔となるように貼り合わせられる。
【００５５】
その後、シール材１０３の図示しない開口部から液晶１０４を注入し、シール材１０３の開口部を紫外線硬化性樹脂などの封止材によって封止する（工程Ｓ８）。こうして主要なパネル構造が完成した後に、上述の位相差板や偏光板などを必要に応じてパネル構造の外面上に貼着などの方法によって取り付け（工程Ｓ９）、図３に示す液晶表示パネル１００が完成する。
【００５６】
［電子機器］
次に、本発明に係る液晶表示パネルを適用可能な電子機器の例について図６を参照して説明する。
【００５７】
まず、本発明に係る液晶表示パネルを、可搬型のパーソナルコンピュータ（いわゆるノート型パソコン）の表示部に適用した例について説明する。図６（ａ）は、このパーソナルコンピュータの構成を示す斜視図である。同図に示すように、パーソナルコンピュータ４１は、キーボード４１１を備えた本体部４１２と、本発明に係る液晶表示パネルを適用した表示部４１３とを備えている。
【００５８】
続いて、本発明に係る液晶表示パネルを、携帯電話機の表示部に適用した例について説明する。図６（ｂ）は、この携帯電話機の構成を示す斜視図である。同図に示すように、携帯電話機４２は、複数の操作ボタン４２１のほか、受話口４２２、送話口４２３とともに、本発明に係る液晶表示パネルを適用した表示部４２４を備える。
【００５９】
なお、本発明に係る液晶表示パネルを適用可能な電子機器としては、図６（ａ）に示したパーソナルコンピュータや図６（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００６０】
また、そのような電子機器においては、外部の照度を検出する光センサを設け、通常は反射型表示を行うとともに、外部の照度が低下した場合は、バックライトを点灯させて蛍光材料を利用した透過型表示を行うようにすることができる。
【００６１】
［変形例］
なお、上述の反射層及びカラーフィルタを有する基板及び液晶装置などは、上述の例にのみ限定されるものではなく、本発明の要旨を逸脱しない範囲内において種々の変更が可能であることは勿論である。
【００６２】
上記の実施形態では、透過用カラーフィルタ層と蛍光材発光層を別個の層として形成しているが、その代わりに、蛍光材料を含む染料や顔料を使用して、蛍光材料を含む透過用カラーフィルタ層を形成することもできる。
【００６３】
また、上記の実施形態では蛍光材発光層上に透過用カラーフィルタ層を形成しているが、透過用カラーフィルタ層上に蛍光材発光層を設けるようにしてもよい。
【００６４】
例えば、上述したカラーフィルタ基板では、矩形の反射用カラーフィルタ部１２０Ｒと透過用カラーフィルタ部１２０Ｔを交互に隣接させて形成しているが、その代わりに、矩形の透過用カラーフィルタの内側に反射用カラーフィルタを形成することもできる。
【００６５】
また、反射用カラーフィルタと透過用カラーフィルタを別個に構成するとともに、反射領域と透過領域におけるカラーフィルタの厚さを相違させてセルギャップを調整したいわゆるマルチギャップ方式の液晶表示装置にも本発明を適用することができる。
【００６６】
また、以上説明してきた実施形態においてはパッシブマトリクス型の液晶表示パネルを例示しているが、本発明の電気光学装置としては、アクティブマトリクス型の液晶表示パネル（例えばＴＦＴ（薄膜トランジスタ）やＴＦＤ（薄膜ダイオード）をスイッチング素子として備えた液晶表示パネル）にも同様に適用することが可能である。
【図面の簡単な説明】
【図１】本発明を適用したカラーフィルタ基板の構成を示す断面図である。
【図２】図１に示すカラーフィルタ基板のカラーフィルタ部分の平面図である。
【図３】本発明を適用した液晶表示パネルの構成を示す断面図である。
【図４】本発明を適用した液晶表示パネルのカラーフィルタ基板の製造方法を示す図である。
【図５】本発明を適用した液晶表示パネルの製造工程を示す流れ図である。
【図６】本発明の液晶表示パネルを適用した電子機器の例を示す図である。
【符号の説明】
１０  カラーフィルタ基板
１０１、１０２  基板
１０３  シール材
１０４  液晶
１０９  バックライト
１１１  反射層
１１３  樹脂散乱層
１２０  カラーフィルタ
１２７  保護層
【図１】
0004051942.tif 000002
【図２】
0004051942.tif 000003
【図３】
0004051942.tif 000004
【図４】
0004051942.tif 000005
【図５】
0004051942.tif 000006
【図６】
0004051942.tif 000007